【事件の表示】
　特願２００９−５３０９０１「セルラ通信システム、通信装置及びブロードキャスト通信方法」拒絶査定不服審判事件〔平成２０年　４月１０日国際公開、ＷＯ２００８／０４０８０８、平成２２年　２月２５日国内公表、特表２０１０−５０６４７３〕について、次のとおり審決する。
【結　論】
　本件審判の請求は、成り立たない。
【理　由】
第１　手続の経緯
　
　本願は，
平成１９年１０月５日(優先権主張　２００６年(平成１８年)１０月５日　米国)を国際出願日とする出願であって，平成２４年６月２７日付けで拒絶理由が通知され，同年１０月１日付けで意見書とともに手続補正書の提出がなされ，同月２５日付けで拒絶査定され，平成２５年２月２６日に拒絶査定不服審判の請求と同時に手続補正書の提出がなされたものである。
　
第２　補正却下の決定
　
［補正却下の決定の結論］
　平成２５年２月２６日付け手続補正を却下する。
　
［理由］
１．本願補正発明
　本願の請求項１に係る発明(以下「本願補正発明」という。)は，平成２５年２月２６日付け手続補正(以下「本件補正」という。)によって補正された特許請求の範囲の請求項１に記載(下線は請求人が付与。)された事項により特定される次のとおりのものである。
　
　　【請求項１】
　セルラ通信システムにおける無線サービス通信装置であって、前記セルラ通信システムは前記無線サービング通信装置に動作可能に結合され
かつ複数の通信サイト各々と通信する
　ブロードキャストされるブロードキャスト信号を処理する信号プロセッサと、
　処理された
前記ブロードキャスト
　
非同期のブロードキャスト送信を行うために、
　前記信号プロセッサに動作可能に結合された複数の送信機と、
　を有し、前記複数の送信機は、前記ブロードキャスト信号の時間的に遅延した複数のレプリカ信号が、
前記非同期のブロードキャスト送信として、
　
　そして，本件補正は，請求項１に係る発明に関して，平成２４年１０月１日付け手続補正書の特許請求の範囲の請求項１に記載された発明を特定する事項に限定を附す目的を含むものである。
　
　そこで，本願補正発明が，特許出願の際独立して特許を受けることができるか(特許法第１７条の２第６項において準用する同法第１２６条第７項の規定に違反するか)について検討する。
　
２．引用発明等
(以下において，下線は当審が付与。)
(１)　引用例及び引用発明
　原査定の理由に引用された特開２００５−３５４７０８号公報(平成１７年１２月２２日公開。以下「引用例」という。)には，図面とともに次の事項が記載されている。
　
ア　「【請求項１３】
　直交周波数多重分割移動通信システムにおいて、循環遅延ダイバーシティを用いて放送データを送信する装置であって、
　隣接する複数のサービス地域にサービスを提供する各送信器が相互に異なる遅延値を有するように設定する循環遅延制御部と前記相互に異なる遅延値に従って遅延した直交周波数多重分割信号を送信する複数の送信器とを含み、
　前記送信器は、　
　前記放送データを含む直交周波数多重分割信号を生成するための直交周波数多重分割信号生成部と、　
　前記隣接する複数のサービス地域の遅延値とは異なる遅延値を用いて、前記直交周波数多重分割信号を遅延させるための循環遅延部と、　
　前記遅延した直交周波数多重分割信号を送信するためのアンテナと　
　を含むことを特徴とする装置。」(公報３ページ)
　
イ　「【技術分野】
【０００１】　本発明は、直交周波数分割多重接続／符号分割多重接続移動通信システムに関し、特に、循環遅延ダイバーシティを用いて放送チャンネルを効率的に送信する装置及び方法に関する。
【背景技術】
【０００２】　一般に、直交周波数分割多重接続（Orthogonal Frequency Division Multiplex；以下、“ＯＦＤＭ”と称する）／符号分割多重接続（Code Division Multiple Access；以下、“ＣＤＭＡ”と称する）移動通信システムは、無線チャンネルを介して高速のデータ送信に適合した方式で相互直交性を有する複数の搬送波を使用する。
【０００３】　ＯＦＤＭ方式は、デジタルオーディオ放送（Digital Audio Broadcasting；以下、‘ＤＡＢ’と称する）、デジタル地上ビデオ放送（Digital Video Broadcasting-Terrestrial；以下、‘ＤＶＢ−Ｔ’と称する）、ＩＥＥＥ８０２．１１ａローカル領域ネットワーク（Local Area Network；以下、‘ＬＡＮ’と称する）標準、そして、ＩＥＥＥ８０２．１６ａ都心領域ネットワーク（Metropolitan Area Network）標準のような分野で無線標準方式として採択された。従って、ＯＦＤＭ方式は、第４世代移動通信及び次世代移動通信方式の代表的な方式として議論されている。
【０００４】　このようなＯＦＤＭシンボルの送信は、シンボルを符号化して遂行され、多重経路チャンネルを介して送信される間に前のシンボルによる影響を受ける。このようなＯＦＤＭシンボル間の干渉を防止するために、連続するシンボル間に、チャンネルの最大遅延拡散よりも長い保護区間（guard interval）を挿入する。従って、ＯＦＤＭシンボル周期は、実際にデータが送信される有効シンボル周期と保護区間との和である。また、受信側では保護区間を除去した後に、有効シンボル周期の間のデータを抽出して復調を遂行する。このとき、有効シンボル区間で最後の区間の信号を複写して得られた保護区間は、副搬送波の遅延により発生することができる直交性の破壊を防止するために挿入され、これをサイクリックプレフィックス（Cyclic Prefix；ＣＰ）と称する。」(公報３−４ページ)
　
エ　「【００１８】　従来では、Ｔだけ遅延したＯＦＤＭ信号を循環遅延させ、付加的な周波数ダイバーシティ利得を得る。すなわち、遅延ダイバーシティを適用するとき、各アンテナに従って１つのサンプルのみを循環遅延させる方式を使用した。
【００１９】　ここで、上記基地局が放送チャンネルを送信する場合に、上述したような１つのサンプルのみを遅延する遅延信号が異なるセルにあるユーザ端末機に送信ダイバーシティ利得を与えることができるかを考慮する必要がある。これは、保護干渉区間の長さ、セル形態、セクターの数、又はビームパターンのようなシステム特性によってダイバーシティ利得を与えることができ、又は、干渉を増加させることもできるからである。すなわち、放送チャンネルの受信が良くないブランケットエリア（blanket area）、ユーザ端末機が集まったホットスポット（hot spot）地域、又は、ユーザ端末機が時々現れる郊外地域では、ＯＦＤＭ信号をさらに効率的に送信することができる送信方式を提供する必要があった。
【発明の開示】
【発明が解決しようとする課題】
【００２０】　上記背景に鑑みて、本発明の目的は、ＯＦＤＭ移動通信システムにおいて、循環遅延ダイバーシティを用いて放送データを送信する方法及び装置を提供することにある。」(公報５−６ページ)
　
オ　「【００２３】　本発明のまた他の特徴によれば、直交周波数多重分割移動通信システムにおいて、循環遅延ダイバーシティを用いて放送データを送信する装置は、隣接する複数のサービス地域にサービスを提供する各送信器が相互に異なる遅延値を有するように設定する循環遅延制御部と上記相互に異なる遅延値に従って遅延した直交周波数多重分割信号を送信する複数の送信器とを含み、上記送信器は、上記放送データを含む直交周波数多重分割信号を生成するための直交周波数多重分割信号生成部と、上記隣接する複数のサービス地域の遅延値とは異なる遅延値を用いて、上記直交周波数多重分割信号を遅延させるための循環遅延部と、上記遅延した直交周波数多重分割信号を送信するためのアンテナとを含むことを特徴とする。」(公報６ページ)
　
カ　「【００２８】　
本発明では、直交周波数分割多重接続（ＯＦＤＭＡ）／符号分割多重接続（ＣＤＭＡ）移動通信システムにおいて、複数のサービス地域（セル又はセクター）を考慮して、循環遅延ダイバーシティ（Cyclic Delay Diversity）を適用するマクロダイバーシティ（macro-diversity）方式を提案する
【００２９】　以下、本発明の一実施形態を説明するにあたって、
移動通信システムにおいて、１つのセルは、３個のセクターを含み、基地局は、上記セルの中心部に位置し、それぞれのセクターを支援する独立したアンテナを含むと仮定する。また、上記各アンテナが同一の信号を送信すると仮定する
【００３０】　すなわち、該当基地局では、自身のセルのチャンネル状況、ユーザ端末機の地理的な位置、又は該当セルの多重経路を考慮して、同一の放送チャンネルを介してＯＦＤＭ信号を効率的に送信する方法を考慮する必要がある。
【００３１】　図２は、本発明の実施形態によるＯＦＤＭ／ＣＤＭＡ移動通信システムの構成を示すブロック図である。
【００３２】　図２を参照すると、
循環遅延制御器２７０は、１つのセルを構成するそれぞれのセクターに適合した制御信号を印加する。本発明の実施形態に従って、上記セルが１２０°の角度で３個のセクターに分割されると仮定する。すなわち、循環遅延制御器２７０は、上記セルを構成する複数のセクターの送信信号がフルダイバーシティ（full diversity）を満足させることができるように、上記セクターの循環遅延変数を設定する。このとき、循環遅延制御器２７０は、ユーザ端末機が密集している都心のホットスポット（hot spot）地域、郊外地域、地方、又は隣接セルの数が少ない山岳地域を考慮し、サービスを要求するユーザ端末機の数、隣接セルの数、セル内のセクターの数などを考慮して最適の循環遅延変数を割り当てる
【００３３】　
すると、循環遅延制御器２７０は、上記セクターに対応するアンテナを介して送信されるすべてのチャンネル情報を総合し、最適の循環遅延変数をセル又はセクターの送信器へ送信する。また、循環遅延制御器２７０は、上記循環遅延変数をあらかじめ設定された値として使用するか、セル又はセクターに従って固定された値として使用してもよい。さらに、あらかじめ設定された循環遅延変数を周期的に更新して使用することができる。このとき、上記あらかじめ設定された循環遅延変数は、移動通信システムのセルを設計する過程で周辺セル及びセクターの関係を考慮して最適の値として実験的に決定されてもよい
【００３４】　送信信号がフルダイバーシティ（full diversity）を満足させることができるように、ユーザ端末機が密集している都心のようなホットスポット（hot spot）地域、郊外地域、地方、又は隣接セルの数が少ない山岳地域を考慮することができる。また、サービスを要求するユーザ端末機の数、隣接セルの数、及びセル内のセクターの数などを考慮して、上記循環遅延変数を実験的に決定することができ、これら値を上記セル又はセクター別にあらかじめ設定してもよい。
循環遅延制御器２７０は、あらかじめ設定された値を貯蔵し、上記セル又はセクターを全体的に管理することができる
【００３５】　図２を参照すると、
第１のセクターに対して
【００３６】　このとき、
循環遅延制御器２７０は、第１のアンテナ２６０のダイバーシティ効果を最大にするために、循環遅延変数τ
１
を適用し、第１のアンテナ２６０は、ＯＦＤＭシンボル信号（ｘ
０
、ｘ
１
、．．．、ｘ
Ｎ−１
）をτ
１
だけ遅延させた循環遅延信号（ｘ
ｎ−τ１＋１
、ｘ
ｎ−τ１＋２
、．．．、ｘ
ｎ−τ１
）を生成する。保護区間挿入器２５０は、Ｇ個の保護区間を上記循環遅延信号（ｘ
ｎ−τ１＋１
、ｘ
ｎ−τ１＋２
、．．．、ｘ
ｎ−τ１
）に挿入する。すなわち、上記セル０の第１のセクターに対応する送信アンテナ２６０は、上記τ
１
だけ遅延した循環遅延信号（ｘ
ｎ−τ１＋１
、ｘ
ｎ−τ１＋２
、．．．、ｘ
ｎ−τ１
）を送信する
【００３７】　
第２のセクターに対して
循環遅延制御器２７０は、第２のアンテナ２６２のダイバーシティ効果を最大にするために、循環遅延変数τ
２
を適用し、第２のアンテナ２６２は、ＯＦＤＭシンボル信号（ｘ
０
、ｘ
１
、．．．、ｘ
Ｎ−１
）をτ
２
だけ遅延させた循環遅延信号（ｘ
ｎ−τ２＋１
、ｘ
ｎ−τ２＋２
、．．．、ｘ
ｎ−τ２
）を生成する。保護区間挿入器２５２は、Ｇ個の保護区間を上記循環遅延信号（ｘ
ｎ−τ２＋１
、ｘ
ｎ−τ２＋２
、．．．、ｘ
ｎ−τ２
）に挿入する。すなわち、上記セル０の第２のセクターに対応する送信アンテナ２６２は、上記τ
２
だけ遅延した循環遅延信号（ｘ
ｎ−τ２＋１
、ｘ
ｎ−τ２＋２
、．．．、ｘ
ｎ−τ２
）を送信する
【００３８】　
第３のセクターに対して
循環遅延制御器２７０は、Ｌ番目のアンテナ２６４のダイバーシティ効果を最大にするために、循環遅延変数τ
Ｌ
を適用する。従って、Ｌ番目のアンテナ２６４は、ＯＦＤＭシンボル信号（ｘ
０
、ｘ
１
、．．．、ｘ
Ｎ−１
）をτ
Ｌ
だけ遅延させた循環遅延信号（ｘ
ｎ−τＬ＋１
、ｘ
ｎ−τＬ＋２
、．．．、ｘ
ｎ−τＬ
）を生成する。保護区間挿入器２５４は、Ｇ個の保護区間を上記循環遅延信号（ｘ
ｎ−τＬ＋１
、ｘ
ｎ−τＬ＋２
、．．．、ｘ
ｎ−τＬ
）に挿入する。すなわち、上記セル０のＬ番目のセクターに対応する送信アンテナ２６４は、上記τ
Ｌ
だけ遅延した循環遅延信号（ｘ
ｎ−τＬ＋１
、ｘ
ｎ−τＬ＋２
、．．．、ｘ
ｎ−τＬ
）を送信する
上述した説明では、上記第１のセクター及び第２のセクターは、同一のセルに属し、上記第３のセクターは、異なるセルに属すると仮定する
　
キ　「【００４３】　循環遅延制御器２７０が循環遅延変数を設定するとき考慮しなければならない地形及び地域特性は、下記の通りである。
【００４４】　１．都心のホットスポット地域
　循環遅延制御器２７０は、一番近接したセル及びセクターを把握した後に、適切な循環遅延変数を割り当てる。チャンネルの状態に従って固定された循環遅延方式を使用してもよく、いくつのセクターにのみ上記循環遅延変数を割り当ててもよい。
【００４５】　２．都心の郊外地域、地方
　循環遅延制御器２７０は、多重経路チャンネル特性及びユーザ端末機の数を把握した後に、十分な多重経路が生成されることができるように制御する。単純にランダム循環遅延方式を採択してもよい。
【００４６】　３．隣接セルの数が少ない山岳地域
　山岳地域がブランケットエリアになる可能性があるので、循環遅延制御器２７０は、多重経路が多く生成されることができるように循環遅延変数を設定して制御しなければならない。
【００４７】　上述したように、循環遅延制御器２７０は、セルの地形及び地域、ユーザ端末機の数を考慮して、セル及びセルを構成する１つ以上のセクターに一番適合した循環遅延変数を提供する。また、上記循環遅延変数は、周期的に更新されることができる。
【００４８】　図２において、
符号化器２００、２０２、２０４、直／並列変換器２１０、２１２、２１４、ＩＦＦＴ器２２０、２２２、２２４、及び並／直列変換器２３０、２３２、２３４は、ＯＦＤＭ信号生成部を形成する
【００５０】　図３を参照すると、それぞれのセルは、３つのセクターを含む。基地局ＢＳ０に位置するセル０は、基地局ＢＳ０から送信された放送チャンネルの適用範囲を示す。基地局ＢＳ１に位置し、セル０に隣接するセル１は、基地局ＢＳ１から送信された放送チャンネルの適用範囲を示す。基地局ＢＳ２に位置するセル２は、基地局ＢＳ２から送信された放送チャンネルの適用範囲を示す。放送チャンネルは、地上波放送及び衛星放送で使用される放送チャンネル、移動通信システムで使用される専用チャンネル及び共用チャンネルのようなトラヒックのために割り当てられたチャンネルを含むことができる。
【００５１】　
任意のユーザ端末機がセル０、セル１、及びセル２の基地局ＢＳ０、ＢＳ１、及びＢＳ２から同時にサービスされている地域に位置すると仮定すると、各セルの３つ以上のアンテナは、図２の循環遅延制御器２７０によって設定された相互に異なる循環遅延で放送チャンネルを送信する。従って、ユーザ端末機は、相互に異なる遅延値で送信される信号を通して周波数ダイバーシティ利得を得ることができる
【００５２】　例えば、ユーザ端末機が放送チャンネルサービスを受信しつつ、都心のホットスポット地域へ移動することもでき、人里離れた郊外地域を通過することもでき、人里離れた山岳地域を通過することもできる。それぞれの場合に従って、多重経路チャンネルは、相互に異なる特性を有する。すなわち、ユーザ端末機がセル間の距離も短く、隣接セルも多く存在する混雑した都心のホットスポットで放送チャンネル信号を受信する時、セルは、循環遅延のための制御信号を提供する循環遅延制御器が無くても、十分な多重経路チャンネルを受信することができる。しかしながら、人里離れた郊外地域又は人里離れた山岳地域では、セル間の間隔も増加し、多重経路チャンネルも十分に受信しそこなうことがあるので、
循環遅延制御器は、セル間の位置及びユーザ端末機が位置した情報を通じて循環遅延変数を設定し、上記循環遅延ダイバーシティ変調方式を用いて多重経路チャンネルからフェージング利得を得ることができる。すなわち、各セル又はセクターに対して、ユーザ端末機が位置する地形及び地域でのチャンネル特性を考慮して、循環遅延した信号を送信すると、さらに多いユーザ端末機にダイバーシティ利得及び効率的なサービスを提供することもできる
【００５３】　上述した説明に関連して、ＢＳ０のセル０は、１２０°の角度で３つのセクターに分割される。従って、斜線部分のような仮想セルを構成する。仮想セル内のすべての端末機は、各基地局から送信された放送チャンネル信号を同時に受信する。
【００５４】　
上記斜線部分は、ＢＳ０、ＢＳ１、及びＢＳ２の放送チャンネル信号を受信し、ＢＳごとに相互に異なる循環遅延を割り当てると、仮想セル内のすべての端末機は、循環遅延によるダイバーシティ利得を得ることができる
　
ク　「【００６０】　図４を参照すると、ダイヤ型記号で表示された第１のラインは、既存の放送チャンネル方式に従ってそれぞれのセクターに循環遅延を適用しなかった場合を示す。すなわち、ユーザ端末機は、上記放送チャンネルを介して上記セル０、セル１、及びセル２からＯＦＤＭ信号を同時に受信する。
【００６１】　円型記号で表示された第２のラインは、それぞれのセクターに適用された循環遅延が既存のＭＤＤＭに適用されたものと同一の（０、Ｔ、２Ｔ）の時間遅延を有する場合を示す。すなわち、ユーザ端末機は、上記放送チャンネルを介して上記セル０、セル１、及びセル２から（０、Ｔ、２Ｔ）だけの遅延でＯＦＤＭ信号を受信する。
【００６２】　正方形記号で表示された第３のラインは、それぞれのセクターに適用された循環遅延が（０、１６Ｔ、３２Ｔ）の時間遅延を有する場合を示す。すなわち、ユーザ端末機は、上記放送チャンネルを介して上記セル０、セル１、及びセル２から（０、１６Ｔ、３２Ｔ）だけの遅延でＯＦＤＭ信号を受信する。
【００６３】　上
記の説明において、セルは、１つの基地局によりサービスされるエリアを意味し、制御部分のみを共有し、それぞれの送信器及び送信アンテナを有する複数のセクターを含む
セル又はセクターは、１つの送信アンテナによってサービスされるエリアを意味することもあることに留意しなければならない
【００６４】　上述したように、本発明の実施形態によると、放送チャンネルの場合、循環遅延制御器によって適用された循環遅延変数に基づいて、該当セクターがＯＦＤＭ信号を遅延して送信し、これによって、十分なダイバーシティ利得を得ることができる。その結果、ユーザ端末機は、遅延を通して受信された信号を組み合わせて、放送チャンネルをさらに効率的に受信することができる。
【００６５】　以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。」(公報１１−１２ページ)
　
　以上の記載によれば，引用例には次の発明(以下「引用発明」という。)が開示されているといえる。
　
　直交周波数多重分割移動通信システムにおいて，循環遅延ダイバーシティを用いてデータを送信する装置であって，
　隣接する複数のサービス地域にサービスを提供する各送信器が相互に異なる遅延値を有するように設定する循環遅延制御部と前記相互に異なる遅延値に従って遅延した直交周波数多重分割信号を送信する複数の送信器とを含み，
　前記送信器は，
　前記データを含む直交周波数多重分割信号を生成するための直交周波数多重分割信号生成部と，
　前記隣接する複数のサービス地域の遅延値とは異なる遅延値を用いて，前記直交周波数多重分割信号を遅延させるための循環遅延部と，
　前記遅延した直交周波数多重分割信号を送信するためのアンテナと
　を含むことを特徴とする装置。
　
(２)　周知例及び周知技術
ア　周知例１
　本願の優先日前に頒布された特開２００３−２３３８１号公報(平成１５年１月２４日公開。以下「周知例１」という。)には，図面とともに次の事項が記載されている。
　
(ア)　「【０００１】　
【発明の属する技術分野】本発明は、送信サイトダイバーシチシステムに関し、特に、各基地局が配置されているセルの端での通信特性向上を期待できる送信サイトダイバーシチシステムに関する。
【０００２】　
【従来の技術】従来、移動体通信に関連する技術として、多数の基地局を持つシステムにおいて基地局の間での特性を改善する方式にサイトダイバーシチ技術がある。サイトダイバーシチ技術は複数の基地局を持つセル構成をとる無線移動通信システムにおいてセルの間で同一情報を送受信する方式であって、下り回線では複数の基地局からの信号を合成して受信し、上り回線では複数の基地局で受信した一つの端末からの信号を合成して受信する方式である。ここで、下り回線のサイトダイバーシチとしてはＣＤＭＡ(Code Division Multiple Access)方式においてパスを分離した上で合成するRAKEが利用可能である。この方式はセル端の特性が向上するため、有力なＣＤＭＡの利点のひとつとして利用されている。一方、複数のキャリアを用いて大容量の伝送を行うＯＦＤＭ(Orthogonal Frequency Division Multiplexing)を利用した場合にはガードインターバルを設置することで複数の基地局から送信される信号がマルチパスのひとつとして符号間干渉無しに受信できる方式が提案されている。
【０００３】また、
ＯＦＤＭにおいてサイトダイバーシチを利用する方式の一つに同一データを同時に送信する方法がある。この方式は、複数基地局を利用することによって受信信号レベルが遮蔽物によって低下するシャドウイングの対策やマルチキャスト、ブロードキャストパケット送信時の周波数利用効率の向上に利用可能である
　
(イ)　「【００２５】　
【発明の効果】以上のように、本発明によれば、受信側のアンテナシステムを変更することなくダイバーシチ利得が得られ、一般には特性の悪くなるセル端での特性向上が期待できる。
【００２６】また、本システムは片方からの電波しか届かない環境においても復調の動作が可能となるため、基地局近くでは本来の単一基地局からの伝送と同等の伝送が可能となる。
【００２７】また、このペアをさらに多くの基地局に広げることにより、
ＯＦＤＭを用いた放送型サービスである地上波ディジタル放送、路車間情報提供システム、無線ＬＡＮのマルチキャスト・ブロードキャストパケット伝送などに適用して好適なシステムとなり
　
イ　周知例２
　本願の優先日前に国際公開された国際公開第２００５／７１８６７号(２００５年(平成１７年)８月４日国際公開。以下「周知例２」という。)には，図面とともに次の事項が記載されている。
　なお，当審訳として，特表２００７−５１９３４３号公報(平成１９年７月１２日公表)を参考している。
　
(ア)　「BACKGROUND
　
Field　
[0002]　　　The present invention relates to wireless communication systems generally, and specifically to synchronized broadcast or multicast transmission to improve the quality of the received transmission.」(公報１ページ)
(当審訳
技術分野
　
　本発明は、概して無線通信システムに関し、特に、受信された伝送の質を改善するための同期型ブロードキャスト又はマルチキャスト伝送（synchronized broadcast or multicast transmission）に関する。(公報５ページ【０００２】))
(イ)　「[0023]　　　
Throughout this discussion, BC will refer to any of broadcast or multicast communications. While BC is considered a one-to-many communications, there may be any number of transmitters to send the message or communication content
[0024]　　　The following discussion presents a synchronized broadcast transmission in a wireless spread-spectrum transmission system. Traditionally, BC services are provided by multiple base stations to multiple users, wherein each of the BSs transmits a same BC content. A problem exists when a receiver receives the same BC content from multiple BSs. In this case, each BS uses a different waveform, e.g., spreading code, and therefore, each transmission introduces interference to other transmissions. For example, in a Code Division-Multiple Access (CDMA) spread-spectrum system, each base station is identified using a unique code, specifically, a Pseudorandom Noise (PN) code. At the receiver, the transmission from each BS introduces interference into the transmission of another BS, as the PN codes are different and therefore, the waveforms are different.
[0025]　　　
Presented herein is a synchronized broadcast transmission scheme which provides the same BC content from multiple transmitters using a same waveform or modulation. The BC transmission may be transmitted in a synchronized manner, wherein each transmitter is synchronized with each other
[0026]　　　An advantage of creating a receiver capable to efficiently receive multipath signals is to allow transmissions from different transmitters to be efficiently received with minimal self interference. For example, a CDMA equalizer may be used to compensate for the effective channel response due to multipath while simultaneously attenuating noise and interference.
[0027]　　　In one embodiment, for BC transmissions, each transmitter uses a same coding. A specific example in a CDMA system is the use of a common PN code by multiple BSs. In this way, each BS is transmitting the same BC content on identical waveforms. 
An alternate embodiment employs an Orthogonal Frequency Division Multiplexing (OFDM) waveform for transmission of the BC content
(当審訳
　
本説明全般にわたって、ＢＣとは、ブロードキャスト又はマルチキャスト通信のいずれにも言う。ＢＣは、１対多通信（a one-to-many communication）と考えられるが、かなり多数の送信機がメッセージ或いは通信コンテンツを送っている可能性がある
　
　次の説明では無線スペクトラム−拡散伝送方式における同期型ブロードキャスト伝送を紹介する。従来よりＢＣサービスは、多数の基地局によって多数のユーザに提供され、ＢＳｓの各々が同じＢＣコンテンツを伝送する。受信機が同一のＢＣコンテンツを多数のＢＳｓから受信する時には問題が存在する。この場合、各ＢＳは異なる波形、即ち、拡散符号を使用し、従って、各送信機は他の送信機に対し干渉を起こす。例えば、符号分割多元接続（ＣＤＭＡ）スペクトラム−拡散方式においては、各基地局は、固有の符号、特に、疑似雑音（ＰＮ）符号を使用して識別される。ＰＮ符号が異なり、従って、波形が異なるので、受信機側では、各ＢＳからの伝送は別のＢＳの伝送に干渉を起こす。
　
　
ここで紹介されるのは、同じ波形或いは変調を使い、多数の送信機から同じＢＣコンテンツを提供する同期型ブロードキャスト伝送方式である。ＢＣ伝送は同期型の様式で伝送されることが出来、各送信機は互いに同期がとられる
　
　マルチパス信号を効率よく受信できる受信機を創造することの利点は、異なる受信機からの伝送を最小の自己干渉（self interference）で効率よく受信させることである。例えば、「ＣＤＭＡイコライザ」（”CDMA equalizer”）が、ノイズと干渉を同時に減衰させながらマルチパスに起因する効率的なチャンネルレスポンス（channel response）について補償するように使用されることが出来る。
　
　一実施例においては、ＢＣ伝送に対し、各送信機は同じ符号を使用する。ＣＤＭＡ方式における特定の例は、多数のＢＳｓによる共通ＰＮ符号の使用である。このようにして、各ＢＳｓが同一のＢＣコンテンツを同一の波形で伝送する。
ほかの実施例では、ＢＣコンテンツ伝送用に直交周波数分割多重（Orthogonal Frequency Division Multiplexing）（ＯＦＤＭ）を使用する
　
(ウ)　「b) Orthogonal Frequency Division Multiplexing (OFDM) 
[O053]　　　OFDM is a spread-spectrum technique wherein data is distributed over a large number of sub-carriers, and the sub-carriers are spaced apart at precise frequencies. The spacing provides orthogonality between the tones, that is, the detector of a given tone  is not affected by the energy in the other tones. With OFDM, each sub-carrier (or equivalently, frequency tone or frequency bin) may be modulated with data.
[0054]　　　A cyclic prefix of a fixed length is appended to each OFDM symbol to turn the linear convolution of the channel into a circular convolution. FIG. 10 illustrates OFDM waveform 80 having an OFDM symbol 85 with a cyclic prefix 90. Ideally, the OFDM symbol length is large with respect to the cyclic prefix length to reduce overhead as far as possible. A fundamental trade-off is incurred as the cyclic prefix 90 must be long enough to account for the anticipated multipath delay spread experienced by the system. In other words, the cyclic prefix length should be longer than the length of the effective impulse response seen at the receiver. In a design using an existing FL structure, such as illustrated in FIGs. 5 and 6, having pilot and MAC bursts length of the OFDM symbol 85 and cyclic prefix 90 is limited to the longest contiguous block available.
[0055]　　　FIG. 11 illustrates a synchronized BC transmission FL format (slot 200) using OFDM for BC. The OFDM waveform 80 provides the BC content during the BC portion of slot 200, similar to slot 60. By keeping the pilot channel 55 and MAC channel 50 in FIG. 11 intact, the system provides the same compatibility with older mobile terminals. One embodiment for implementing OFDM for synchronized BC transmissions, illustrated in FIG. 12, includes a CDM modulation path and an OFDM modulation path. Note, the format of slot 200 is similar to slot 60 of FIG. 5, wherein slot 200 now includes OFDM waveform 80 in place of a traffic or control channel 45.
[0056]　　　As mentioned above, OFDM is a modulation technique wherein user data is modulated onto the tones. The information is modulated onto a tone by adjusting the tone's amplitude and/or phase. In the basic form, a tone may be present or disabled to indicate a one or zero bit of information, and, either Phase Shift Keying (PSK) or Quadrature Amplitude Modulation (QAM) is typically employed. An OFDM system takes a data stream and splits it into N parallel data streams, each at a rate 1/N of the original rate. Each stream is then mapped to a tone at a unique frequency, and these tones are referred to as data tones. Concurrently, known pilot symbols are transmitted on a different set of tones referred to as pilot tones. These pilot tones may be used by the receiver to estimate the composite channel's frequency response, and to perform demodulation of the received OFDM signal. The pilot tones and data tones are  combined together using the Inverse Fast Fourier Transform (IFFT) to yield a time-domain waveform to be transmitted.
[0057]　　　FIG. 12 illustrates transmitter processing blocks in transmitter 240 according to one embodiment supporting both CDM and OFDM processing of FL transmissions, 
wherein OFDM is applied to BC transmissions
[0058]　　　The processing paths of FIG. 12 may be implemented in a transmitter as illustrated in FIG. 13. Modulation controller 425 activates the OFDM modulator 410 or the CDM modulator 415 depending on transmission content: BC or Non-BC, e.g. unicast. A communication bus 427 facilitates information flow to the various modules within the transmitter. Receive circuitry (not shown) receives signals over the air interface from ATs. The transmitter also includes processing elements (not shown) for processing received signals. The transmitter also receives information from infrastructure elements within the system, including packet data information from the broadcast content server (not shown).
[0059]　　　
Initially, the OFDM modulator 410 is running and broadcasting information such as news, movies or sporting events
(当審訳
ｂ）直交周波数分割多重（Orthogonal Frequency Division Multiplexing）(ＯＦＤＭ)
　ＯＦＤＭはスペクトラム−拡散技術であり、そこでは、データが多数の副搬送波で配信され、副搬送波は正確な周波数で間隔がおかれている。間隔はトーン間（between the tones）に「直交性」を与える、即ち、所定のトーンの検出器は、他のトーンの中のエネルギーの悪影響を受けない。ＯＦＤＭで、各副搬送波（或いは等価的に、周波数トーン又は周波数ビン）は、多分、データで変調されることが可能である。
　
　固定長の周期的プレフィックスが、リニア畳み込み（linear convolution）を「巡回畳み込み」(circular convolution)に変えるために、各ＯＦＤＭシンボルに添えられる。図１０は、周期的プレフィックス９０付のＯＦＤＭシンボル８５を有するＯＦＤＭ波形８０を図示している。理想的には、ＯＦＤＭシンボル長は、可能な限りオーバーヘッドを減らすために周期的プレフィックス長に対し大きい。周期的プレフィックス９０は、システムで経験された予期されるマルチパス遅延拡散を補償するために十分長いことが必要であるはずなので、基本的なトレードオフに陥る。言い換えれば、周期的プレフィックス長は、受信側で見られる実効的なインパルスレスポンスの長さよりも「より長いもの」であるべきである。図５及び図６で図示されているような、パイロット及びＭＡＣを有している現行のＦＬ構成を使ったデザインにおいては、ＯＦＤＭシンボル８５と周期的プレフィックス９０のバースト長は、利用できる最長の連続ブロックに制限される。
　
　図１１は、ＢＣ用ＯＦＤＭを使用した同期型ＢＣ伝送ＦＬフォーマット（スロット２００）を図示する。ＯＦＤＭ波形８０は、スロット６０に似たスロット２００のＢＣ部分の期間、ＢＣコンテンツを提供する。図１１におけるパイロットチャンネル５５とＭＡＣチャンネル５０をそのままに保ち、システムは、古いモバイルターミナルとの同じ互換性を提供する。図１２に示されるような同期型ＢＣ伝送用のＯＦＤＭを実現する一実施例は、ＣＤＭ変調パスとＯＦＤＭ変調パスとを含む。スロット２００のフォーマットは図５におけるスロット６０に似ており、スロット２００は、トラフィック或いはコントロールチャンネル４５の代わりに今度はＯＦＤＭ波長８０を含む。
　
　上述したように、ＯＦＤＭは変調技法であり、ユーザデータはトーン上に変調される（modulated onto）。情報は、トーンの振幅及び／又は位相を調整することにより、トーン上に変調される。基本のフォームでは、トーンはあるかもしれないし或いは１又はゼロを示すことが出来ないようにされているかもしれず、又、位相偏移変調（Phase Shift Keying）（ＰＳＫ）か直交振幅変調（Quadrature Amplitude Modulation）（ＱＡＭ）かの何れかが一般的には使用される。ＯＦＤＭ方式は、１データストリーム（a data stream）を受け取り、それを夫々元の速度の１／Ｎの速度のＮパラレルのデータストリームに分割する。各ストリームはそのあと固有の周波数のトーンにマッピングされ（mapped）、これらのトーンは「データトーン」（”data tones”）と呼ばれる。同時に、知られた「パイロットシンボル」（”pilot symbol”）が、「パイロットトーン」（”pilot tones”）と呼ばれる、異なるセットのトーンで送信される。これらのパイロットトーンは、受信機により、複合チャンネルの周波数レスポンスを評価するために、又、受信されたＯＦＤＭ信号の復調を実行するために、使用される。パイロットトーン及びデータトーンは、逆高速フーリエ変換（the Inverse Fast Fourier Transform）（ＩＦＦＴ）を使って、伝送されるべきタイム−ドメインを生み出すために共に結合される。
　
　図１２は、ＣＤＭ及びＯＦＤＭの両方のＦＬ伝送処理をサポートする一実施例による、送信機２４０における送信機処理ブロックを図示しており、
ＯＦＤＭはＢＣ伝送に適用される
　
　図１２の処理パスは、図１３において図示されたような送信機で使用されてもよい。変調コントローラ４２５は、ＯＦＤＭ変調器４１０或いはＣＤＭ変調器４１５を、伝送状態：即ちＢＣ又は非ＢＣ、例えばユニキャスト、に依存しながら作動させる。通信バス４２７は、送信機内の種々のモジュールへの情報フローを容易にする。受信回路（示されていない）はＡＴｓから空気界面で信号を受け取る。送信機は又、受信された信号を処理する処理部品（示されていない）を含む。送信機は又、システム内のインフラストラクチュア部品（infrastructure elements）から、ブロードキャストコンテンツサーバー（示されていない）からのパッケットデータ情報を含む情報を受信する。
　
　
最初、ＯＦＤＭ変調器４１０が動作し、例えば、ニュース、映画、スポーツエベント等の情報をブロードキャストしている（broadcasting）
　
(エ)　「c) Alternate Sources of Synchronized Broadcast Waveforms
[0073]　　　In alternate embodiments of a wireless communication system, other synchronized broadcast waveforms may be implemented into the forward link transmitting slot of a channel, by removing the above-mentioned traffic portion of the slot. These waveforms will provide alternate modulation schemes. Application of a common spreading code creates artificial multipath which provides improved performance in BC transmissions.
 
[0074]　　　Synchronized BC improves performance of BC transmissions and thus increases the data throughput thereof. Synchronized BC as detailed herein provides for transmission of a same BC content using a same waveform. In a spread-spectrum system dividing the FL into time slots, the synchronized BC may be used on a per slot basis. The synchronized BC effectively provides an artificial multipath, which may be resolved at the receiver in manners similar to those used for multipath. In soft handoff, when the receiver is receiving BC transmissions from multiple transmitters, the received synchronized BC signals are viewed as multipath. 
In one embodiment, the synchronized BC is provided as an OFDM signal, wherein the receiver receives multiple copies of the same waveform and processes such signals using an OFDM receiver
(当審訳
ｃ）同期型ブロードキャスト波形の他のソース（Alternate Sources of Synchronized Broadcast Waveforms）
　無線通信システムの他の実施例では、上述のスロットのトラフィック部分を除去することにより、他の同期型ブロードキャスト波形がチャンネルのフォワードリンク伝送スロットで使用されることが可能である。これらの波形は他の変調スキームを提供する。共通拡散符号の適用は、ＢＣ伝送における改善された性能を提供する疑似マルチパスを生み出す。
　
　同期型ＢＣはＢＣ伝送の性能を改善し、従って、データスループット（data throughput）を増やす。ここで詳細に説明されたような同期型ＢＣは、同じ波形を使用する同じＢＣコンテンツの伝送用に提供している。ＦＬをタイムスロットに分割するスペクトラム−拡散方式においては、拡散型ＢＣは１スロット当たりで使用される。同期型ＢＣは、マルチパス用に使用されるのと同様な方法で、受信機側で決定されることが可能な、疑似マルチパスを効果的に提供する。ソフトハンドオフにおいては、受信機が多数の送信機からＢＣ伝送を受信している時、受信される同期型ＢＣ信号はマルチパスとして見られる。
一実施例においては、同期型ＢＣはＯＦＤＭ信号として提供され、そこでは、受信機は、同じ波形の多数のコピーを受け取り、ＯＦＤＭ受信機を使ってそのような信号を処理する
(ウ)　周知技術
　周知例１及び周知例２等の記載によれば，次の技術が周知(以下「周知技術」という。)であるといえる。
　
　「ＯＦＤＭを用いた通信において，複数の基地局から，同一信号をブロードキャスト送信する」技術。
　
３．検討
(１)　対比
　本願補正発明と引用発明を比較すると次のことがいえる。
　
○　引用発明における「直交周波数多重分割移動通信システム」が「セルラ通信システム」であることは明らかである。
　
○　引用発明において，データを送信する「装置」は，無線によりサービスを提供するものであるのだから，「無線サービング通信装置」といえる。
　そして，該「装置」が，複数のサービス地域それぞれに位置するように設けられることは明らかである。
　そうすると，該「サービス地域」には，前記「装置」により「セル」，「セクタ」が構成されることになる。
　このことは，引用発明における「循環遅延制御部」が，「データを送信する装置に動作可能に結合されかつ複数のサービス地域各々と通信する」といえることを示している。
　また，前記「装置」の設けられた「サービス地域」は，「通信サイト」といえることを示している。
　つまり，引用発明における「循環遅延制御部」は，「セルラ通信システムは無線サービング通信装置に動作可能に結合されかつ複数の通信サイト各々と通信する」点において，本願補正発明における「ブロードキャスト管理論理装置」と共通するといえる。
　
○　(あ)　引用発明における「送信器」に含まれる「直交周波数多重分割信号生成部」は，「送信器」から送信される「直交周波数多重分割信号」を生成するものである。
　そして，このような「直交周波数多重分割信号」の生成が「信号プロセッサ」により行われることは，文献等の例示をするまでもなく当業者には周知である。
　このことは，「直交周波数多重分割信号生成部」が，データを信号とし，「直交周波数多重分割信号」に処理する「信号プロセッサ」といえることを示している。
　
(い)　引用発明における「送信器」に含まれる「循環遅延部」は，前記「直交周波数多重分割信号」に「遅延させるため」のものであり，その遅延の遅延値は，複数のサービス地域でそれぞれ異なる遅延値ものであることは明白である。
　このことは，前記「循環遅延部」が，前記「直交周波数多重分割信号」の１つ以上に１つ以上の遅延を導入することを示しているといえる。
　そして，遅延が導入されることにより，「直交周波数多重分割信号」の送信が「非同期」となることは明らかである。
　つまり，引用発明における「循環遅延部」は，「非同期の送信を行うために，信号の１つ以上に１つ以上の遅延を導入する」点において，本願補正発明における「遅延を導入する論理装置」と共通するといえる。
　
(う)　引用発明における「送信器」は，遅延した直交周波数多重分割信号を送信するためのアンテナを含むものである。
　該アンテナは，セルに構成された複数のセクタそれぞれに信号を送信するように設けられている。
　ここで，直交周波数多重分割移動通信システムにおいて，直交周波数多重分割信号を，空間伝送路上の周波数帯域に変換し，所定の送信電力を有する信号を送信するために高周波増幅を行い，アンテナを介して出力するようにすることは，文献等の例示をするまでもなく当業者には周知である。
　しかし，引用例にも，引用発明にも，このような「周波数帯域に変換」する構成，「高周波増幅」を行う構成，いわゆる「無線周波数部(ＲＦ部)」についての明示的記載を発見しない。
　そうすると，引用発明における「アンテナ」から信号を出力するために，上記のような「無線周波数部」を，前記「送信器」がアンテナそれぞれに有することは当然である。
　そして，引用発明においては，複数のサービス地域，すなわち複数のセルに，「直交周波数多重分割信号の時間的に遅延した信号」が，該セルの複数のアンテナから送信される。
　つまり，引用発明における「送信器」は，上記のような「無線周波数部(ＲＦ部)」をセルに構成された複数のセクタのアンテナそれぞれに有することは当然であるから，該「無線周波数部(ＲＦ部)」は，「直交周波数多重分割信号の時間的に遅延した複数の信号が，非同期の送信として，セクタ化された複数のセルで前記信号」を送信するといえる。
　このような送信をする点において，引用発明が，当然有する「無線周波数部(ＲＦ部)」は，本願補正発明における「送信機」と共通するといえる。
　
　以上によれば，本願補正発明と引用発明は次の点で一致し，相違するといえる。
　
［一致点］
　セルラ通信システムにおける無線サービス通信装置であって、前記セルラ通信システムは前記無線サービング通信装置に動作可能に結合されかつ複数の通信サイト各々と通信するブロードキャスト管理論理装置を有し、当該無線サービス通信装置は、
　信号を処理する信号プロセッサと、
　非同期の送信を行うために、前記信号の１つ以上に１つ以上の遅延を導入する論理装置と、
　複数の送信機と、
　を有し、前記複数の送信機は、前記信号の時間的に遅延した複数信号が、前記非同期の送信として、セクタ化された複数のセルからそれぞれ送信されるように、通信サイトの複数のセクタ化されたセルで前記信号を送信する、無線サービス通信装置。
　
［相違点１］
　本願補正発明における「信号」は，「ブロードキャストされるブロードキャスト信号」であるのに対して，引用発明においては，そのような特定がない点。
　
［相違点２］
　本願補正発明は，「処理された信号を複製し，処理され複製された複数のレプリカ信号を生成する論理装置」を有するのに対して，引用発明はそのような「レプリカを生成する論理装置」を有することが記載されていない点。
　また，上記相違点１により，複製される信号が「ブロードキャスト信号」との特定もない点。
　
［相違点３］
　(ａ)本願補正発明における「複数の送信機」は，「信号プロセッサに動作可能に結合」されるのに対して，引用発明にはそのような特定がない点。
　さらに，本願補正発明における「複数の送信機」については，上記相違点１及び上記相違点２により，(ｂ)時間的に遅延した「複数の信号」が本願補正発明では「複数のレプリカ信号」であるのに対して，引用発明では，そのような「レプリカ信号」との特定も，(ｃ)該「複数のレプリカ信号」が「時間的に遅延した「ブロードキャスト信号」」のものであるとの特定も，(ｄ)該「ブロードキャスト信号」を送信するとの特定もない点。
　
(２)　相違点１−３について
ア　本願補正発明において，「複数の送信機」が「信号プロセッサに動作可能に結合された」ことに格別な技術的意義を見いだすことはできない。
　つまり，引用発明において，「複数の送信機」を「信号プロセッサに動作可能に結合された複数の送信機」とすることは，当業者が適宜なし得る設計的事項であるといわざるをえない。
　
イ　さらに，ＯＦＤＭ，すなわち直交周波数多重分割を用いた通信において，複数の基地局から同一信号をブロードキャスト送信することは周知であり，また，このような周知技術を引用発明に適用することに格別な困難があるともいえない。
　つまり，引用発明に周知技術を適用し，引用発明における「直交周波数多重分割信号」を「ブロードキャストされるブロードキャスト信号」とすることは当業者が適宜なしえた事項といえる。
　このように，周知技術が適用された引用発明においては，「同一のブロードキャスト信号を複数の基地局から送信する」ようになる。
　このことは，周知技術の適用により，引用発明は，「複数の基地局それぞれのアンテナから同一信号をブロードキャストするため，ブロードキャストする基地局数及び基地局それぞれのアンテナ数に応じて，原の信号を複製し，複製されたレプリカ信号を複数生成する」構成を備えることを示している。
　また，このように，複製されたレプリカ信号を複数生成する際に，(ｉ)信号プロセッサにより処理された信号を複製するようにしても，(ii)複数生成されたレプリカ信号を信号プロセッサにより処理するようにしても，生成される信号に格別な差異が生じるとは認められない。つまり，上記(ｉ)または(ii)のいずれのような処理を行うかは，当業者が適宜選択しうる設計的事項にすぎないといわざるをえない。
　
　したがって，引用発明に周知技術を適用することにより，
　「信号を処理する信号プロセッサ」を「ブロードキャストされるブロードキャスト信号を処理する」ようにすること，
　そして，「処理された前記ブロードキャスト信号を複製し、処理され複製された複数のレプリカ信号を生成する論理装置」を引用発明が有するようにすること，
　「非同期の送信を行うために、前記信号の１つ以上に１つ以上の遅延を導入する」論理装置を「非同期のブロードキャスト送信を行うために、前記処理され複製された複数のレプリカ信号の１つ以上に１つ以上の遅延を導入する」ようにすること，
　「前記信号の時間的に遅延した複数信号が，前記非同期の送信として，セクタ化された複数のセルからそれぞれ送信されるように，通信サイトの複数のセクタ化されたセルで前記信号を送信する」複数の送信機を「前記ブロードキャスト信号の時間的に遅延した複数のレプリカ信号が、前記非同期のブロードキャスト送信として、セクタ化された複数のセルからそれぞれ送信されるように、通信サイトの複数のセクタ化されたセルで前記ブロードキャスト信号を送信する」ようにすることは，当業者が適宜なしえた事項であるといえる。
　
　そして，本願補正発明のように構成したことによる効果も，引用発明及び周知技術から予測できる程度のものである。
　
４．まとめ
　以上のとおりであるから，本願補正発明は，引用発明及び周知技術に基づいて，当業者が容易に発明をすることができたものである。
　したがって，本願補正発明は，特許法第２９条第２項に該当し，特許出願の際独立して特許を受けることができない。
　
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
　
第３　本願発明
　
　上記第２に述べたとおり，本件補正は却下された。
　よって，本願の請求項１に係る発明(以下「本願発明」という。)は，平成２４年１０月１日付け手続補正書の特許請求の範囲の請求項１に記載(下線は請求人が付与。)された事項により特定される次のとおりのものである。
　また，発明の名称は，本件補正の前の「セルラ通信システム、通信装置及びブロードキャスト通信方法」となる。
　
　　【請求項１】
　
セルラ通信システムにおける無線サービス通信装置であって、前記セルラ通信システムは前記無線サービング通信装置に動作可能に結合されたブロードキャスト管理論理装置を有し、当該無線サービス通信装置は、
　ブロードキャストされる
ブロードキャスト
　処理された信号を複製し、
処理され複製された
　
前記
複製された複数の
の
に
、
　
と、
　を有し、前記複数の送信機は、
の時間的に遅延した複数のレプリカ信号が、単独の通信サイト内又はネットワークレベルの通信サイト間のうちの何れかにより、
ように、通信サイトの複数の
たセ
前記
、
　
第４　当審の判断
　
１．引用発明等
　引用発明及び周知技術については，上記「第２　２．引用発明等」に記載のとおりである。
　
２．検討
　本願補正発明は，本願発明を特定する事項に限定を附したものである。
　そうすると，本願発明を特定する事項を全て含み，さらに，限定を附したものに相当する本願補正発明が，上記「第２　３．検討」に述べたとおり，引用発明及び周知技術に基づいて，当業者が容易に発明をすることができたのであるのだから，本願補正発明から附された限定を省いたものに相当する本願発明も，同様に，引用発明及び周知技術に基づいて，当業者が容易に発明をすることができたものであるといえる。
　
第５　むすび
　
　以上のとおりであるから，本願発明は，特許法第２９条第２項に該当し，特許を受けることができないものである。
　
　したがって，本願は，他の請求項について，論及するまでもなく拒絶すべきものである。
　
　よって，結論のとおり審決する。